(57)【特許請求の範囲】
【請求項１】
油種毎に設けられた複数の給油ノズルを備え、当該給油ノズルより給油された油液の給油料金をプリペイドカードにより決済する給油装置において、
プリペイドカードに記憶されている残り金額データを読み出す残金額読出手段と、
前記複数種類の油液のうち、これから給油する油液の種類が入力される油種指定キーと、
該読出手段により読み出される残り金額データと予め記憶されている前記油種毎の単価データと前記油種指定キーにより入力された油種とから、当該プリペイドカードに記憶されている残り金額データで給油可能な当該油種指定キーにより入力された油種の残給油量を演算する残給油量演算手段と、
該残給油量演算手段により演算された残給油量を表示する表示手段と、
を備えてなることを特徴とする給油装置。
【発明の詳細な説明】
【０００１】
【発明の属する技術分野】
給油所等で用いられ、車両等に油液を供給する給油装置に係り、供給する油液の料金をプリペイドカードにより決済する給油装置に関する。
【０００２】
【従来の技術】
従来、給油所等で用いられる給油装置においては、給油所の地下タンクに貯留されている油液をポンプにより給油配管に送液し、給油配管の途中に設けられている流量計により送液量を計測し、給油ホースを介して給油ノズルから油液を車両の燃料タンクに吐出するようになっている。このとき、給油装置は、流量計によって計測した送液量の積算値を給油量として表示器に表示している。
【０００３】
そして、給油装置は、給油が終了したときの最終的な積算値を給油所に備えられているＰＯＳ端末（販売時点管理装置）にケーブルを介して送信し、ＰＯＳ端末は、給油装置からの送信内容に基づいて伝票を発行する。
【０００４】
従来の給油所での料金の決済方法としては、上記伝票に基づいて給油所員が給油を受けた顧客に対して給油料金を請求するようになっている。
【０００５】
一方、給油料金の決済方法の１つとしてプリペイドカードを用いた給油料金の決済方法（以下、プリペイドカード方式という）がある。このプリペイドカード方式は、予め、一定額のプリペイドカードを購入しておき、金銭を支払うときにプリペイドカードにより支払金額をプリペイドカードの残金額から差し引いていく、所謂、料金先払い方式であり、公衆電話、電車の切符の購入、高速道路等の料金決済で一般に用いられている方式である。
【０００６】
【発明が解決しようとする課題】
ところが、給油所での給油料金の決済方法としてプリペイドカード方式を利用した場合に、プリペイドカードの所持者は、当該プリペイドカードにどれだけの金額が残っているかについては、プリペイドカードのパンチ穴等により大まかな金額が認識できるようになっているが、当該プリペイドカードでどれだけの量の油液が給油できるかについては、日々変更される給油単価との兼ね合いにより正確に認識できないという問題や、給油単価を認識したとしてもどれだけの量の油液を給油できるのかを顧客がいちいち計算する面倒がある。
【０００７】
本発明は、給油所に来店する顧客等が、所持するプリペイドカードによってどれだけ給油可能かという残給油量を認識できる給油装置を提供することを目的としている。
【０００８】
【課題を解決するための手段】
上記課題を解決するため、本発明の請求項１においては、油種毎に設けられた複数の給油ノズルを備え、当該給油ノズルより給油された油液の給油料金をプリペイドカードにより決済する給油装置において、プリペイドカードに記憶されている残り金額データを読み出す残金額読出手段と、前記複数種類の油液のうち、これから給油する油液の種類が入力される油種指定キーと、該読出手段により読み出される残り金額データと予め記憶されている前記油種毎の単価データと前記油種指定キーにより入力された油種とから、当該プリペイドカードに記憶されている残り金額データで給油可能な当該油種指定キーにより入力された油種の残給油量を演算する残給油量演算手段と、該残給油量演算手段により演算された残給油量を表示する表示手段と、を備えてなることを特徴とする給油装置。
【０００９】
従って、請求項１の発明によれば、プリペイドカードに記憶されている残り金額データが残金額読出手段により読み出され、該残金額読出手段で読み出された残り金額データと予め記憶されている前記油種毎の給油単価と前記油種指定キーにより入力された油種とから、当該プリペイドカードに記憶されている残り金額データで給油可能な当該油種指定キーにより入力された油種の残給油量が残給油量演算手段により演算されて表示手段により当該給油量が表示される。
【００１０】
【発明の実施の形態】
本発明の実施の形態を図１乃至図２により説明する。図１は、本実施の形態における給油装置の全体構成図である。
【００１１】
給油所に設置される給油装置本体１には、給油所の地下タンク（図示せず）に貯留されている油液を配管２の基端を介して汲み上げ、配管２の先端側に送液する給油ポンプ３が配設されており、また、配管２の途中には給油ポンプ３から送液される油液の量を計測する流量計４が配設されている。
【００１２】
給油ポンプ３の近傍には、後述する制御部１４からの信号により起動されて給油ポンプ３を駆動するポンプモータ５が配設され、また、流量計４には、計測される油液の量をパルス信号に変換して後述する制御部１４に出力するパルス発振器６が設けられている。
【００１３】
配管２の先端には給油装置本体１から導出される給油ホース７の基端が接続されており、該給油ホース７の先端には給油ポンプ３から送液される油液を車両のタンク（図示せず）に給油する給油ノズル８が設けられている。
【００１４】
給油装置本体１の外側部には、給油作業を行わないときに上記給油ノズル８を保持するためのノズル掛け９が設けられており、当該ノズル掛け９の内部には、給油ノズル８がノズル掛け９に保持されているか否かを検出するためのノズルスイッチ１０が設けられている。
【００１５】
給油装置本体１の上部には、給油ノズル８から車両のタンクに給油される油液の給油量を表示する給油量表示器１１が設けられており、この給油量表示器１１は、給油顧客が有するプリペイドカードが後述のカードリーダ１２に挿入されたときに、当該プリペイドカードによって給油可能な残給油量を表示し、給油顧客に対して当該プリペイドカードの残給油量を表示する表示手段として構成される。
【００１６】
上述した配管２から給油量表示器１１までの構成は、図１においては、単一の構成として省略しているが、給油装置本体１には、これらの構成が複数それぞれ異なる油種毎に設けられている。
【００１７】
給油装置１本体には、給油顧客が所持しているプリペイドカードを挿入し、当該プリペイドカードに記録されている残金額を読み取るためのカードリーダ１２が設けられている。該カードリーダ１２の近傍には、予め給油顧客が所望する給油量または給油金額を設定するための給油設定器１３が設けられている。
【００１８】
上述したポンプモータ５、パルス発振器６、ノズルスイッチ１０、給油量表示器１１、カードリーダ１２、及び給油設定器１３は、給油装置本体１内部に設けられた制御部１４に電気的に接続されている。制御部１４には後述する図３及び図４の動作フローチャートを実行するためのプログラムが格納されている。
【００１９】
ここで、上記給油設定器１３の構成を図２の給油設定器の配置構成図を用いて説明する。給油設定器１３には、カードリーダ１２により読み出されるプリペイドカードに記録されている残金額や、その残金額に基づいて制御部１４で算出される残給油量、入力される所望の給油金額または給油量や、作業に関するメッセージ等を表示する情報表示器１５や、残給油量よりも少ない複数の整数値を夫々表示するプリセット値表示器１６等の表示器が配置されている。
【００２０】
また、当該プリセット値表示器１６に表示されたプリセット値を所望の給油量として入力するためのプリセット値入力釦１７と、所望の給油金額または給油量を任意に入力するためのテンキー１８、所望であるのは満タン給油であるのか、プリセット給油であるのか、またプリセット給油である場合には、給油金額か給油量かを入力するための給油方法入力キー１９や、給油しようとする油液、すなわちレギュラー、ハイオク、軽油等の油種を指定するための油種指定キー２０等の給油作業のための入力機器が配置されている。これら表示器や入力機器も上述の制御部１４に電気的に接続されている。
【００２１】
本実施の形態における給油装置の構成は以上のようになっており、次に、本構成を採用した給油装置の動作について図３及び図４の動作フローチャートを参照して説明する。
【００２２】
プリペイドカードを所有している顧客が給油所に来店し、給油装置本体１の近傍に車両を停車させ、給油作業を行うべく、プリペイドカードをカードリーダ１２に挿入する。このとき、情報表示器１５には、「プリペイドカードを挿入して下さい」というメッセージが表示されている。
【００２３】
制御部１４は、ステップ１（以下、ステップはＳと略す。）として、カードリーダ１２にプリペイドカードが挿入されたか否かを判定しており、カードリーダ１２にプリペイドカードが挿入される、すなわち、カードリーダ１２からカード挿入信号が出力されると、Ｓ２に進み、挿入されたプリペイドカードに記憶されている残金額データをカードリーダ１２から読み出す。このＳ２と制御部１４とにより残金額読出手段が実現される。
【００２４】
そして、Ｓ３において、Ｓ２で読み出した残金額データから消費税を差し引いた税引金額データを演算しておく。この段階で、情報表示器１５には「給油する油種を入力して下さい。」というメッセージが表示される。
【００２５】
上記メッセージにしたがって、油種指定キー２０により油種が入力されると、制御部１４は、Ｓ４において油種が入力されたと判断し、入力された油種指定キーに対応する油種の単価データをＳ５において読み出す。
【００２６】
Ｓ６において、制御部１４は、Ｓ３で算出した税引金額データと上記Ｓ５で読み出した単価データとから、挿入されているプリペイドカードで給油が可能な給油量、すなわち残給油量データを算出する。このＳ６と制御部１４とにより残給油量演算手段が実現される。
【００２７】
そして、Ｓ７において、算出された残給油量データが給油量表示器１１に表示されるとともに、情報表示器１５に残金額、税引残金額、残給油量、及び給油方法入力キー１９により満タン給油、またはプリセット給油の給油方法を指定してもらうための「給油方法を指定して下さい。」とのメッセージが表示される。
【００２８】
給油方法のうち満タン給油を指定するために、給油方法入力キー１９のうちの満タンキー１９-1が操作された場合に、制御部１４は、Ｓ８において満タンキー１９-1のオンを検知してＳ１１に進み、上記残給油量データを停止給油量として設定する。
【００２９】
ここで、停止給油量とは、給油中にポンプモータ５を停止させるためのもので、流量計４により計測される累積給油量が停止給油量と同値になったとき、即ちプリペイドカードに記憶されている金額分の給油が終了したときに給油停止させる。
【００３０】
また、給油方法のうち給油量のプリセット給油を指定するために、給油方法入力キー１９のうちのリットルキー１９-2が操作された場合に、制御部１４は、Ｓ９においてリットルキー１９-2のオンを検知してＳ１２に進む。
【００３１】
さらに、給油方法のうち金額のプリセット給油を指定するために、給油方法入力キー１９のうちの￥キー１９-3が操作された場合に、制御部１４は、Ｓ１０において￥キー１９-3のオンを検知してＳ１７に進む。
【００３２】
上記のように、給油方法入力キー１９のうちのいずれかのキーが操作されない限り、制御部１４は、Ｓ８，Ｓ９及びＳ１０の判断を繰り返し行っていく。
【００３３】
上述のようにＳ９においてリットルキー１９-2のオンを検知してＳ１２に進むが、Ｓ１２において上記残給油量以下で最大の整数値、すなわち、リットルの１の位が「０」又は「５」となる整数値を算出する。例えば、残給油量が「３８．６」である場合には、「３５．０」を最大整数値とする。
【００３４】
そして、Ｓ１３で最大整数値よりも小さい４つのリットルの１の位が「０」又は「５」となる整数値、例えば、最大整数値が「３５．０」である場合には、「３０．０」，「２５．０」，「２０．０」，「１０．０」を算出し、Ｓ１４で、この４つの整数値及び最大整数値をプリセット値表示器１６にそれぞれ１つずつ表示させる。このとき、情報表示器１５には、「所望の整数値の下のボタンを押すか、所望の給油量をテンキーで入力して下さい。」とのメッセージを表示する。上記Ｓ１２からＳ１４までの処理と制御部１４とにより設定量割付手段が実現される。
【００３５】
Ｓ１５においては、プリセット値入力釦１７のうちのいずれか一つが操作されたか否かを検出し、プリセット値入力釦１７のうちの一つが操作された場合には、操作されたプリセット値入力釦１７に対応する整数値を停止給油量として設定し、Ｓ２２へ進む。なお、プリセット値入力釦１７が操作されずにテンキー１８が操作されてプリセット給油量が入力された場合には、当該プリセット給油量を停止給油量として設定する。
【００３６】
また、上述のようにＳ１０において￥キー１９-3のオンを検知してＳ１７に進むが、Ｓ１７において上記残税引金額以下で最大の整数値、すなわち、円の１００の位が「０００」又は「５００」となる整数値を算出する。例えば、残税引金額が「３８６０」である場合には、「３５００」を最大整数値とする。
【００３７】
そして、Ｓ１８で最大整数値よりも小さい４つの円の１００の位が「０００」又は「５００」となる整数値、例えば、最大整数値が「３５００」である場合には、「３０００」，「２５００」，「２０００」，「１０００」を算出し、Ｓ１９で、この４つの整数値及び最大整数値をプリセット値表示器１６にそれぞれ１つずつ表示させる。このとき、情報表示器１５には、「所望の整数値の下のボタンを押すか、所望の給油金額をテンキーで入力して下さい。」とのメッセージを表示する。
【００３８】
Ｓ２０においては、プリセット値入力釦１７のうちのいずれか一つが操作されたか否かを検出し、プリセット値入力釦１７のうちの一つが操作された場合には、操作されたプリセット値入力釦１７に対応する整数値とＳ５で読み出した単価データとから給油量を算出し、当該給油量を停止給油量として設定し、Ｓ２２へ進む。なお、プリセット値入力釦１７が操作されずにテンキー１８が操作されてプリセット給油金額が入力された場合には、当該プリセット給油金額とＳ５で読み出した単価データとから給油量を算出し、当該給油量を停止給油量として設定する。
【００３９】
上述のＳ１１、Ｓ１６、またはＳ２１において停止給油量が設定されると、給油が可能な状態となり、給油ノズル８をノズル掛け９から外したか否かを、Ｓ２２においてノズルスイッチ１０がオンになったか否かを検出し、オンを検出したときにＳ２３でポンプモータ５を起動して給油ポンプ３を駆動し始めることにより給油が開始される。
【００４０】
給油が開始されると、給油ポンプ３から送液される油液は流量計４及び給油ホース７を介して給油ノズル８から車両タンクに供給される。このとき、流量計４で計測された流量は流量パルス発信器６でパルス信号に変換されて制御部１４に出力され、制御部１４では、パルス信号を積算して積算給油量を算出し、当該積算給油量を給油量表示器１１に表示していく。
【００４１】
そして、上記の積算給油量がＳ１１、Ｓ１６、またはＳ２１において設定された停止給油量と同値となったか否かをＳ２４において比較しており、同値となっていない場合にはＳ２５に進む。
【００４２】
Ｓ２５では、上記の停止給油量に達する前に給油作業を辞めて給油ノズル８をノズル掛け９に戻していないか否かを、ノズルスイッチ１０がオフになったか否かにより検出する。ノズルスイッチ１０がオフになっていないときにはＳ２３に戻る。すなわち、制御部１４は、積算給油量が停止給油量と同値となるか、ノズルスイッチ１０がオフとならないかぎり、Ｓ２４及びＳ２５の処理を続ける。
【００４３】
Ｓ２４において積算給油量が停止給油量と同値となったことか、またはＳ２５においてノズルスイッチ１０がオフとなったことを検出したときは、ポンプモータ５を停止して給油を終了する。上記Ｓ２４及びＳ２６の処理と制御部１４とによりプリセット給油制御手段が実現される。
【００４４】
上述したように本実施の形態の給油装置によれば、プリペイドカードをカードリーダ１２に挿入し、油種指定キー２０を操作するだけで、当該プリペイドカードで給油可能な給油量が給油量表示器１１及び情報表示器１５に表示されるため、プリペイドカードを有する顧客が当該プリペイドカードで給油可能な給油量を正確に認識することが可能となる。
【００４５】
また、プリペイドカードをカードリーダ１２に挿入し、油種指定キー２０を操作したのちに、給油方法指定キー１９を操作してプリセット給油を指定すると、当該プリペイドカードにより選択可能な整数値がプリセット表示器１６に表示され、当該プリセット表示器１６に対応するプリセット値入力釦１７を操作するだけで、簡単に所望のプリセット値を入力することが可能となるため、プリセット値の入力操作が簡単になる。
【００４６】
なお、本実施の形態においては、給油装置本体１にカードリーダ１２と給油設定器１３とを組み込む構成としたがこれ限らず、カードリーダ１２と給油設定器１３とを給油装置本体１とは別体の設定装置として給油装置本体１の近傍に設ける構成としてもよい。このような場合には、設定装置を非防爆域に設置することが可能となり、カードリーダ１２と給油設定器１３とに対する防爆処置が不要となり、給油装置の製造コストを低下させることができる。
【００４７】
また、上記のように設定装置を給油装置本体１と別体に設ける場合には、複数の給油装置に対して１つの設定装置を設ける構成としてもよい。
【００４８】
本実施の形態においては、プリペイドカードの残給油量の数値を給油量表示器１１に表示するように構成したが、これに限らず、残給油量を音声で表示するように構成してもよい。
【００４９】
【発明の効果】
請求項１の発明によれば、プリペイドカードに記憶されている残り金額データが残金額読出手段により読み出され、該残金額読出手段で読み出された残り金額データと予め記憶されている前記油種毎の給油単価と前記油種指定キーにより入力された油種とから、当該プリペイドカードに記憶されている残り金額データで給油可能な当該油種指定キーにより入力された油種の残給油量が残給油量演算手段により演算されて表示手段により当該給油量が表示されるため、プリペイドカードを有する顧客が当該プリペイドカードで給油可能な当該油種指定キーにより入力された油種の残給油量を正確に認識することが可能となるので、プリペイドカードを用いた決済における給油作業を効率よく行うことができる。
【図面の簡単な説明】
【図１】本発明の実施の形態における給油装置の全体構成図である。
【図２】本発明の実施の形態における給油装置の給油設定器１３の配置構成図である。
【図３】本発明の実施の形態における給油装置の動作を示す動作フローチャートである。
【図４】本発明の実施の形態における給油装置の動作を示す動作フローチャートである。
【符号の説明】
１・・・ 給油装置本体
１１・・・ 給油量表示器（表示手段）
１２・・・ 給油設定器
１３・・・ カードリーダ（残金額読取手段）
１４・・・ 制御部（残給油量演算手段）
１６・・・ プリセット値表示器
１９・・・ 給油方法指定キー
２０・・・ 油種指定キー
【図１】
0003840621.tif 000002
【図２】
0003840621.tif 000003
【図３】
0003840621.tif 000004
【図４】
0003840621.tif 000005